(57)【要約】【課題】同一箇所において、視覚情報と聴覚情報を、煩雑な装置や大きなスペースを使うことなく、提供するための装置を提供する点にある。【解決手段】本発明が、解決しようとするところは、案内表示部材と微弱電波を用いた音声送信装置を組み合わせることによって、視覚と聴覚により情報を提供することである。また、音声送信装置に外部アンテナを接続することによって、さらなる省スペース化が図られる。  その結果、案内表示部材の外観意匠を損ねることなく簡易な方法で、端末であるラジオより音声情報を聴くことができるものである。【選択図】    図４
2006267754.tif 000002
【特許請求の範囲】
【請求項１】
表面側に所属、機能、用途などの視覚案内情報を明示した案内表示部材の裏面側に、ＡＭもしくはFM微弱電波からなる微弱電波により、録音された音声情報を送信する送信装置を配置し、該送信装置から送信される微弱電波をラジオ等の受信機で受信することにより、前記案内表示部材に明示された視覚案内情報を音声案内情報として得ることを特徴とする微弱電波を用いた音声案内装置。
【請求項２】
前記送信装置にアンテナが内蔵されたことを特徴とする請求項１記載の微弱電波を用いた音声案内装置。
【請求項３】
前記送信装置に外部のアンテナを別離に構成し、該アンテナを案内表示部材に付設すると共に送信装置は、案内表示部材より隔離した場所に設置したことを特徴とする請求項１記載の微弱電波を用いた音声案内装置。
【請求項４】
前記送信装置に微弱電波の出力調整機能を持たせたことを特徴とする請求項１記載の微弱電波を用いた音声案内装置。
【請求項５】
前記送信装置について、送信周波数を変更するために部品を取り替えることのできる構造を特徴とする請求項１記載の微弱電波を用いた音声案内装置。
【請求項６】
前記案内表示部材を側面視略Ｌ字状のプレートに構成し、該プレートの縦部材面の表面側に視覚案内情報を明示するとともに、該プレートの裏面に送信装置を着脱自在に装着したことを特徴とする請求項１記載の微弱電波を用いた音声案内装置。
【請求項７】
前記案内表示部材を足台の付いたスタンドの上部に付設し、該案内表示部材の表面側に視覚案内情報を明示すると共に、該案内表示部材の裏面側に送信装置を着脱自在に装着したことを特徴とする請求項１記載の微弱電波を用いた音声案内装置。
【発明の詳細な説明】
【技術分野】
【０００１】
本発明は、微弱電波を用いた音声案内装置と案内表示部材に関するものである。
【背景技術】
【０００２】
従来のものとして、赤外線を用いた音声案内装置、AM、FM電波を用いた音声案内装置が知られている。これらは、送信装置に対して一定距離に近づくと、端末機器から送信装置に録音された音声を聴くことのできるものであり、視覚障害者の歩行支援や展示物の音声紹介等に利用されている。その一例として、特許文献１が例示される。それらは、いずれも音声情報のみを伝えることを目的としており、送信装置の位置や送信装置の設置場所に関する視覚情報を明示するという考え方はなかった。
【特許文献１】特開平  10−171343号公報
【発明の開示】
【発明が解決しようとする課題】
【０００３】
本発明が、前述の状況に鑑み、解決しようとするところは、微弱電波を用いた音声送信装置と案内表示部材を組み合わせることによって、聴覚と視覚により情報を提供することである。案内表示部材とは、看板、案内サイン、掲示板、標識等を指すものとする。
案内表示部材の意匠を損なわずに、送信側の機能を果たすためには、案内表示部材の裏面に送信機を設置する必要があるが、赤外線を用いる場合、送信機が案内表示部材によって遮蔽され、機能を果たさなくなる。そのため、本発明では、電波を用いた音声送信装置とする。また、出力の小さい微弱電波とすることで、数メートル単位でのきめ細かな場所情報提供を可能とする。
送信装置は、音声録音機能、マイク、微弱電波の送信機能、アンテナからなっており、送信装置より数ｍの範囲において、端末である携帯型ラジオで音声案内情報を得ることができる機能とする。
【０００４】
請求項1の発明によれば、案内表示部材より視覚情報を提供するとともに、端末であるラジオより音声案内情報を聴くことができるものである。
例えば、ラジオを持った弱視の視覚障害者が送信装置の設置されてあるトイレを目指し、廊下を歩いて行く場合、トイレのサインプレートの裏側に送信装置を設置する。携帯ラジオを持った弱視の視覚障害者がぼんやりと見えるトイレのサインプレートを認知し、近づくと「トイレの前です。トイレの中に入ると右前方に便器があります」などの音声案内が携帯ラジオから聞こえてくる。
【０００５】
請求項2の発明によれば、カウンター等において、自立型の案内表示部材の裏側に送信装置を設置すれば、その場所で扱われているサービス等の音声案内をラジオから聴くことができる。
【０００６】
請求項3の発明によれば、音声送信装置に外部の薄型、あるいは小型のアンテナを取り付けられる構造とすることにより、様々なタイプの案内表示部材に設置対応が可能となる。また、音声の送信場所と録音場所の距離を必要に応じて離すことが可能となるため、録音の更新頻度が高い場合などに、送信装置の録音装置部分を身近な場所に設置することによって、利便性が高まる。
【０００７】
請求項4の発明によれば、複数の送信装置が一定範囲内に設置されている場合において、電波の干渉を避けることが可能になる。また、出力を抑えることによって、送信装置の間隔を狭めることができることから、よりきめ細かな場所に対応した音声案内が可能となる。送信装置と案内表示部材の一体化によって、送信装置が狭い範囲に数多く設置された場合にも視覚的な煩雑性がない。
【０００８】
請求項5の発明によれば、多言語での音声入力が可能になるほか、別の音声案内情報を発することも可能となる。
【０００９】
請求項6の発明によれば、案内表示部材であるプレートと音声送信機の一体化によって、省スペース化が図られるとともに、視覚、聴覚一体型の案内システムとして、利便性を高めることができる。また、送信機を着脱型とすることによって、音声録音の操作を容易にする。
【００１０】
請求項7の発明によれば、案内表示部材である足台の付いたスタンドと音声送信機の一体化によって、省スペース化が図られるとともに、視覚、聴覚一体型の案内システムとして、利便性を高めることができる。また、送信機を着脱型とすることによって、音声録音の操作を容易にする。
【発明を実施するための最良の形態】
【００１１】
以下、本発明の実施形態を図面に基づいて詳細に説明する。
図１から図２に示すように、ケース1Ｊの側面には、録音スイッチ１A、電波調整ツマミ１Iを設ける。電源を得るために、ケース側面にジャック１Ｂを設け、本装置とは別に専用のACアダプターあるいはバッテリー４とつなぐ。
録音スイッチ１Ａは、録音側にスライドさせると録音が開始される。その時点でマイク１Ｈに向かい、送信装置１を設置する場所に関連する案内情報を音声で吹き込み録音する。再生側にスライドさせると録音が終了するとともに、その間に録音された音声案内情報の内容がリピートで再生される。再度録音側にスライドさせると、以前に録音されたものが消去され、上書き録音することが可能になる。これらの録音、消去、上書き録音の切り替えが、一つのスイッチによる簡易な操作で遂行できるので便利である。
電波出力ツマミ１Ｉは、マイナスネジや突起のあるツマミとし、電波の出力を調整することによって、送信電波の到達距離を変化させる。２つ以上の送信装置１が隣接している場合などには、互いの電波が干渉しないよう、出力を絞り込むことなどに利用ができる。
【００１２】
図３において、ケース１Ｊの内側にICレコーダー１E、マイク１Ｈ、ＡＭもしくはＦＭ電波による微弱電波を送信する微弱電波送信部１Ｇ、アンテナ１Ｄ、電波周波数切り替え装置１Fを配置し、コンパクトな形態とする。
電波周波数切り替え装置１Ｌは、様々な周波数にセットされた装置であり、装置を差し替えることで、端末であるラジオの周波数が変化する。例えば、AM1600khzの電波周波数切り替え装置にセットした場合、ラジオのダイヤルを1600khzにセットしたところで、該送信装置に録音された音声案内情報を得ることができる。仮に、同じ場所に、1000khzの電波周波数切り替え装置にセットした場合、ラジオのダイヤルを1000khzにセットしたところで、該送信装置に録音された別の音声案内情報を得ることができる。つまり、同じ場所の案内を、日本語、英語などで聞く場合、ラジオの周波数を切り替えることで対応が可能となる。
ケース１Ｊは、電波を吸収したり遮ることのないよう、金属製以外のプラスティック素材などとする。
【００１３】
送信装置１は、案内表示部材２の裏側に設置し、ベルベットファスナー３等で着脱可能な構造とする。送信装置１を取り外しができるようにすることで、送信装置１への録音操作を容易にすることができる。これにより、案内表示部材２に記された内容を照らし合わせながら録音することが可能となり、録音の手違いミスを防止することに寄与できて、音声案内情報の内容を案内表示部材２に記された内容に一致して録音できて、所望の案内を正確にできる。
外部アンテナ５を送信装置に接続できるよう、ケース１Ｊの外側に外部アンテナ接続端子１Ｃを設ける。外部アンテナはコネクタ部、ライン部、アンテナ部からなり、アンテナ部は小型のもの、平板なもの、屋外で使える防水性のものなど、利用用途にあわせたものを採用する。
【実施例】
【００１４】
図4から図6に本考案の一実施例１を示す。
側面視該L字型の案内表示部材２Ａおよび送信装置１からなる音声案内装置を、カウンター８の上などに設置する。例えば、行政の建物内とした場合、１番カウンター８が福祉推進課の受付とする。案内表示部材２Ａには、福祉推進課であることが明示されているとともに、ラジオ７を携帯した来訪者は、福祉推進課であることの案内を得るとともに、当該課において扱っているサービスの詳細な内容等を知ることができる。案内表示部材２Ａは送信装置１から送信される電波を吸収したり遮ることのないよう、金属製以外のプラスティック素材などで構成されている。
案内表示部材２Ａと送信装置１は、それぞれ接着面３を有し、ベルベットファスナー等によって、着脱可能とする。これによって、前記したように送信装置１への音声録音の操作を容易にするとともに、案内表示部材２Ａに記された内容に照らし合わせながら録音することが可能となり、案内の内容が正確となる。
長いカウンター８などの上に複数の案内表示部材２Ａが設置されている場合には、各案内部材２Ａに対応した窓口職員などが、各々に所望の音声内容に変更することも可能となる。これによりきめ細かな案内サービスの向上に寄与できる効果を奏する。
【００１５】
図７から図８に実施例２を示す。
カウンターや机などがない場合には、足台の付いたスタンド２Ｂ１と組み合わせた上部パネルである案内表示部材２Ｂ２を用い、案内表示部材２Ｂ２の裏側に送信装置１を敷設する。ある展示物に関して、案内表示部材２Ｂ２の視覚情報によって該展示物の紹介を知ることができるとともに、ラジオ７を持った来訪者は、音声により案内を聞くことができる。
【００１６】
図９から図１１に実施例３を示す。
建物の壁面等に案内表示部材２Ｃを設置し、その背面にボックス６Ａを埋め込み、その内部に送信装置１を設置する。これにより建物内の会議室等部屋名の案内や、トイレの案内などに利用が可能である。
ボックス６Ｂを壁面の上面に設置し、ボックス６Ｂ前面を案内表示部材として機能させる方法もある。
例えば、会議室の前に来ると、会議室の案内表示部材２Ｃである案内サインプレートが扉横の壁面に設置されており、視覚障害者は、ラジオ７から会議室であることを知ることができる。
【００１７】
図１２から図１３に送信装置に外部アンテナ５Ｂを接続する場合の実施例４を示す。
図９から図１１で示した実施例の場合、送信装置１の設置状況によっては音声の吹き替えが容易にできないという問題が生じる恐れがある。そのため、外部アンテナ５Ｂのみを案内表示部材の裏面または端部に設置し、送信装置１は壁面裏側等の録音のしやすい位置に設置する。このようにしておくと会議室などで、その日によって催しが変わる場合に、音声の吹き込みを容易にする。
【００１８】
図１４から図１５に送信装置に外部アンテナ５Ｂを接続する場合の実施例５を示す。
案内表示部材２Ｂと、送信装置１の距離を離して設置したい場合の利用方法である。遠方から音声内容を変えることができるため、例えば、建物の中から、屋外の音声案内内容を吹き替えることも可能である。
また、ひとつの送信装置１より複数の外部アンテナ５Ｂに分けて接続するという利用方法も可能である。例えば、管理室に送信装置１を設置し、複数の会議室内に外部アンテナ５Ｂを設置すれば、管理室にて録音された音声情報を、各々の会議室にて、聞くことができる。
【産業上の利用可能性】
【００１９】
視覚障害者の歩行支援装置として、施設内のみならず、イベント、屋外での利用が可能である。視覚障害者の多くは、日常の生活にラジオを利用しており、新たに端末を手に入れる必要がない点が大きな利点である。全盲の視覚障害者にとっては、音声送信機の位置する案内表示部材を認知することはできないが、弱視者については、案内表示部材をうっすらと確認した上で、音声情報を得るという利用が考えられる。また、一般の健常者の利用として、観光施設の案内、ウォークラリーのツールなどレクリエーションとしての利用が可能である。案内表示部材と組み合わせることで、視覚情報から音声案内情報を送信している位置を示し、端末である携帯ラジオから、聴覚情報として、より詳しい説明や案内を聞く、などの方法が可能となる。
【図面の簡単な説明】
【００２０】
【図１】送信装置の斜視図及び、外部アンテナ、電源コードなどの説明図である。
【図２】送信装置の側面図である。
【図３】ケースを開いた状態の送信装置の内部平面図である。
【図４】案内部材であるL字状のプレートと送信装置をカウンター等に設置した使用状態説明図である。
【図５】図４の要部を拡大して表現した要部拡大説明図である。
【図６】L字状のプレートと送信装置の取り外し可能な構造を示した分解説明図である。
【図７】足台の付いたスタンドと送信装置の組み合わせによる使用状態説明図である
【図８】足台の付いたスタンドと送信装置の詳細な構造を示した説明図である。
【図９】壁面に設置するサインプレートと送信装置の組み合わせによる使用状態説明図である。
【図１０】壁面に設置するサインプレートと送信装置の詳細な構造を示した説明図である。
【図１１】サインを兼ねたボックスと送信装置の詳細な構造を示した説明図である。
【図１２】外部アンテナとし、サインプレートと送信装置を分けた使用状態説明図である。
【図１３】外部アンテナとし、サインプレートと送信装置を分けた詳細な構造を示した説明図である。
【図１４】案内表示部材と、送信装置の距離を離して設置した場合の利用方法説明図である。
【図１５】複数のアンテナを設置し、１つの発信装置によって複数箇所の音声案内をする説明図である。
【符号の説明】
【００２１】
１  送信装置
１Ａ  録音スイッチ
１Ｂ  電源ジャック
１Ｃ  外部アンテナジャック
１Ｄ  内部アンテナ
１Ｅ  ＩＣレコーダー
１Ｆ  電波周波数切り替え装置
１Ｇ  送信部
１Ｈ  マイク
１Ｉ  電波出力調整ツマミ
１Ｊ  ケース
２Ａ  側面視略Ｌ字型案内表示部材
２Ｂ１  足代の付いたスタンド
２Ｂ２  足代の付いたスタンドの上部パネルである案内表示部材
２Ｃ  壁面等に設置するサインプレート型案内表示部材
３  接着面（ベルベットファスナーなど）
４  電源コード
５  外部アンテナ
５Ａ  コネクタ部
５Ｂ  アンテナ部
５Ｃ  コード部
６Ａ  埋め込み型ボックス
６Ｂ  サインを兼ねた張り出し型ボックス
７  ラジオ
８  カウンター
【図１】
2006267754.tif 000003
【図２】
2006267754.tif 000004
【図３】
2006267754.tif 000005
【図４】
2006267754.tif 000006
【図５】
2006267754.tif 000007
【図６】
2006267754.tif 000008
【図７】
2006267754.tif 000009
【図８】
2006267754.tif 000010
【図９】
2006267754.tif 000011
【図１０】
2006267754.tif 000012
【図１１】
2006267754.tif 000013
【図１２】
2006267754.tif 000014
【図１３】
2006267754.tif 000015
【図１４】
2006267754.tif 000016
【図１５】
2006267754.tif 000017